(57)【特許請求の範囲】
【請求項１】
縦材と横材を組み合わせてなる長方形状または正方形状の枠体と、前記枠体の両面に固着される表，裏面板と、該表，裏面板の内面側に通気性を有するポリプロピレン樹脂系の不織布とを介在させると共に、前記表，裏面板にそれぞれ貫通する複数の小孔を設け、前記枠体と前記表，裏面板で形成される空間内を前記枠体の横材間に配設した少なくとも１つの縦桟と前記枠体の縦材間に該縦材の長手方向に等間隔に配設した複数の横桟とにより縦横複数ずつに区画して複数の区画部を形成すると共に、通気性を有するポリプロピレン樹脂系の袋状不織布内に木炭、活性炭などの炭素系の小片または粉末からなる炭素系物質を充填して前記各区画部の空間内に装填したことを特徴とする板状建材。
【請求項２】
前記表，裏面板の一方または両方を孔開き化粧板にしたことを特徴とする請求項１に記載の板状建材。
【発明の詳細な説明】
【０００１】
【発明の属する技術分野】
この発明は、建物の屋内に使用する内装仕切り材や，床・天井材として用いる建築板材に係り、特に断熱性が要求される部分、或いは湿気・臭気の発生する場所に使用して好適な湿気防止・脱臭および断熱機能を備えた板状建材に関するものである。
【０００２】
【従来の技術】
従来、寒冷地等における建物の屋内に設ける仕切り材やドアーなどに使用する板状建材は、長方形状などの枠体内に内部補強材としてハニカムコアを嵌合させ、前記枠体とハニカムコアの表，裏面の少なくとも一方をアルミニウム箔で覆い、枠体の表，裏面に表，裏面板の外周部を枠体に直接または前記アルミニウム箔を介して接着した断熱性建材が用いられている。
【０００３】
【発明が解決しようとする課題】
しかし、建物の室内が暖かく室外が冷たい場合や、室内が冷たく室外が暖かい場合に、室内外の温度差によって断熱性建材のアルミニウム箔に結露が生じ、枠体にねじれや反りが発生し、枠体とハニカムコアとの間に隙間ができたり、枠体から表，裏面板の外周部が剥がれたりし、さらには室内の複数の仕切り材間や仕切り材とドアーとの間に隙間ができるなど、充分な断熱ができないという問題点があった。
また、厨房，浴室に使用される建材、或いは玄関に備えられる下駄箱などに使用される建材にあっては、建材自体が湿気防止・脱臭および断熱機能を備えていないため、湿気或いは臭気などが大気中に充満し、不快感を与えている現状にある。
【０００４】
この発明は上記のような従来の問題を解決するためになされたもので、長方形状または正方形状の枠体と、この両面にそれぞれ固着した表，裏面板により形成される空間部内に炭素系物質を充填することにより湿気防止機能と、脱臭及び害虫防止機能を発揮させるとともに、上記空間部内の炭素系物質を複数に分離できるようにした板状建材を提供することを目的としている。
【０００５】
【課題を解決するための手段】
請求項１の発明に係る板状建材は、縦材と横材を組み合わせてなる長方形状または正方形状の枠体と、前記枠体の両面に固着される表，裏面板と、該表，裏面板の内面側に通気性を有するポリプロピレン樹脂系の不織布を介在させると共に、前記表，裏面板にそれぞれ貫通する複数の小孔を設け、前記枠体と前記表，裏面板で形成される空間内を前記枠体の横材間に配設した少なくとも１つの縦桟と前記枠体の縦材間に該縦材の長手方向に等間隔に配設した複数の横桟とにより縦横複数ずつに区画して複数の区画部を形成すると共に、通気性を有するポリプロピレン樹脂系の袋状不織布内に木炭、活性炭などの炭素系の小片または粉末からなる炭素系物質を充填して前記各区画部の空間内に装填したことを特徴とする。
【０００６】
請求項２の発明は、請求項１に記載の板状建材において、前記表，裏面板の一方または両方を孔開き化粧板にしたことを特徴とする。
【０００７】
【発明の実施の形態】
以下、この発明の実施形態につき、図を参照して説明する。
図１に示す第１実施形態の板状建材１は、細幅状の木材，合板，集合材或いはプラスチック等、好ましくは細幅状の木材を縦材２ａ，２ｂ、横材２ｃ，２ｄに裁断し、これらを互いに組合せて上下方向に長い長方形状の枠体３を形成し、枠体３内に枠体３の厚さと等しい厚さを持つ上下３本の木製の横桟４を等間隔、例えば３０mm〜１００mm、好ましくは５０mmの等間隔で配置し、横桟４の左，右外端部４ａ，４ｂを枠体３の縦材２ａ，２ｂにそれぞれ固定している。さらに前記枠体３の表，裏面側には、表，裏面の全面を覆う形状に形成され、かつ複数の貫通孔６を有する孔開き表，裏面板７ａ，７ｂが配設され、前記孔開き表，裏面板７ａ，７ｂの内面外周部を枠体３の縦，横材２ａ〜２ｄの表，裏面側に接着されるようになっている。
そして、前記枠体３と横桟４とによって囲まれた区画部５の空間部内には、木炭，活性炭などの炭素系の小片または粉末などの、炭素系物質８が充填されたものである。
【０００８】
なお、この実施形態では使用していないが、前記炭素系物質８が細かい微粉末状であって、前記表，裏面板７ａ，７ｂに形成された複数の貫通孔６より外部にこぼれ出るような場合は、前記表，裏面板７ａ，７ｂ内面側に、破線で示すそれぞれ通気性を有するポリプロピレン系等の不織布５０ａ，５０ｂを設けるようにし、前記不織布５０ａ，５０ｂを一側に開口を有する袋状にして、袋状の不織布内に前記微粉末状の炭素系物質８を装填して、これを前記空間部に充填するようにしてもよく、前記前記表，裏面板７ａ，７ｂに形成された複数の貫通孔６より前記微粉末状の炭素系物質が外部にこぼれ落ちるのを防止できる。
【０００９】
また、この実施形態における表，裏面板７ａ，７ｂにはそれぞれ複数の貫通孔６を形成した孔開き表，裏面板７ａ，７ｂとしたが、使用目的に応じて表，裏面板７ａ，７ｂのうちのいずれか一方のみを孔開き面板にし、他方の面板には貫通孔のないものを使用するようにしてもよい。
【００１０】
前記木炭，活性炭などの炭素系の小片または粉末などの、炭素系物質８を枠体３の区画部５内に充填するには、まず、枠体３の裏面に孔開き裏面板７ｂを接着し、必要に応じて不織布を内在させ、前記炭素系物質８を充填し、必要に応じて不織布を介して孔開き表面板７ａを枠体３の表面に接着して板状建材１を形成する。
【００１１】
前述のように構成した第１実施形態の板状建材１は、枠体３の厚さを２０mmとし、又、孔開き表，裏面板７ａ，７ｂの厚さをそれぞれ２.５mmとし、且つ長さは１８０mmの孔開き化粧板を使用している。
【００１２】
図２に示す第２実施形態の板状建材１０は、前述した第１実施形態のものとほぼ同様な枠体３並びに孔開き表，裏面板７ａ，７ｂを有するもので、同一部分には同一符号を付してその説明は省略するが、枠体３の空間部内には横桟が省略されたものである。
【００１３】
そして、前記空間部内には、前記横桟に代えて、紙製ハニカムコア１１の全部の孔部１１ａに、木炭，活性炭などの炭素系の小片または粉末などの、炭素系物質８を必要に応じて前記実施形態と同様に不織布を介して充填して、前記炭素系物質８を保持したハニカムコア１１を前記空間部内に充填するようにしたものである。
【００１４】
図３に示す第３実施形態の板状建材２０は、前述した第１実施形態のものより横長に形成した長方形状の枠体３内に、枠体３の厚さと等しい厚さを持つ上下３本の木製の横桟４を等間隔、例えば３０mm〜１００mm、好ましくは５０mmの等間隔で配置し、さらに、枠体３の横材２ｃ，２ｄ間に縦桟２１を差し渡し状態に配設する。これにより、横桟４の左，右外端部４ａ，４ｂは、縦桟２１とこれに対応する枠体３の縦材２ａ及び２ｂ縦桟２１との間に差し渡し状態に固定されている。また、枠体３の表，裏面には、その全面を覆う複数の貫通孔６を有する孔開き表，裏面板７ａ，７ｂが配設され、前記孔開き表，裏面板７ａ，７ｂの内面外周部は枠体３の表，裏面に接着されている。
【００１５】
このように枠体３内に配設した縦桟２１と横桟４は、枠体３と表，裏面板７ａ，７ｂで形成される空間内を縦横複数ずつに区画して複数の区画部５を形成し、この各区画部５内には、木炭、活性炭などの炭素系の小片または粉末からの炭素系物質８が必要に応じて不織布を介して充填されている。
【００１６】
このような第３実施形態に示す板状建材２０においては、枠体３と表，裏面板７ａ，７ｂで形成される空間部内が縦桟２１と横桟４で区画されることにより空間部内の炭素系物質８を確実に分離して保持することができ、これにより、板状建材をドアーなどに使用する場合、錠金具を取付ける部分の区画部からは、炭素系物質８の充填を取除くことも容易にできる。
【００１７】
図４に示す第４実施形態の板状建材３０は、前述した第１実施形態のものとほぼ同様な長方形状の枠体３空間部内に、木炭，活性炭などの炭素系の小片または粉末などの、炭素系物質８にメラミン樹脂接着剤を混合して加熱・加圧してパネル状形成し、このカーボンパネ９を前記空間部内に充填したものである。
【００１８】
図５に示す第５実施形態の板状建材４０は、前述した第３実施形態のものとほぼ同様な長方形状の枠体３空間部内に形成した区画部５に、ハニカムコア４１の孔部のすべてに、木炭、活性炭などの炭素系の小片または粉末等の炭素系物質８にメラミン樹脂接着剤８ａを混合し、加熱・加圧によって形成した小形のカーボンパネル９ａを嵌合充填したものである。
【００１９】
以上のようにして形成された、この発明の板状建材によれば、建物内の部屋仕切り材として使用した場合は、断熱性建材としての機能を有し、寒冷地などで、冬期に建物の他の部屋や建物外が低温になっても部屋内の温度低下を少なくできる。
また、従来のように板状建材の内部空間にアルミニウム箔を使用していないので、仕切り材として設けた板状建材の内面に結露が発生せず、板状建材の枠体がねじれたり、反ったり等の変形することを防止できる。
【００２０】
さらに、この発明の板状建材を、湿気の多く発生する厨房や浴室に、更には、臭気の発生する下駄箱やトイレに建材として使用した場合には、板状建材の内部空間部に充填した木炭、活性炭などの炭素系の小片または粉末などの炭素系物質によって、吸湿・脱臭を行うことができ、快適な部屋を提供できる。
【００２１】
この発明において、カーボンパネルは、木炭，活性炭などの炭素系の小片または粉末などからなる炭素系物質をハニカムコアに充填し、厚さ方向に加圧するだけのものは、炭素系の微粉末を用いることが好ましく、メラミン樹脂接着剤を用いないものでは、加圧のみで加熱しないので安価にすることができ、また、前記炭素系物質に粉末状のメラミン樹脂接着剤を混合させて、加熱および加圧することで、ハニカムコアの全部の孔部に炭素系物質を確実に保持させ、カーボンパネルの強度が大きく、炭素系の小片や粉末を用いても前記コアの孔部外に漏れる恐れもなく、枠体にねじれや反りが発生することや、枠体とカーボンパネルとの間に隙間ができることを確実に防止できる。
なお、枠体３の表，裏面に接着する孔開き表，裏面板は木材，合板に限られることなく孔開きボードを用いてもよいことは勿論である。
【００２２】
【発明の効果】
以上説明したように、請求項１の発明による板状建材は、縦材と横材を組み合わせてなる長方形状または正方形状の枠体と、前記枠体の両面に固着される表，裏面板と、該表，裏面板の内面側に通気性を有するポリプロピレン樹脂系の不織布を介在させると共に、前記表，裏面板にそれぞれ貫通する複数の小孔を設け、前記枠体と前記表，裏面板で形成される空間内を前記枠体の横材間に配設した少なくとも１つの縦桟と前記枠体の縦材間に該縦材の長手方向に等間隔に配設した複数の横桟とにより縦横複数ずつに区画して複数の区画部を形成すると共に、通気性を有するポリプロピレン樹脂系の袋状不織布内に木炭、活性炭などの炭素系の小片または粉末からなる炭素系物質を充填して前記各区画部の空間内に装填した構成としたので、建物内の部屋仕切り材として使用した場合は、断熱性建材としての機能を有し、寒冷地などで、冬期に建物の他の部屋や建物外が低温になっても部屋内の温度低下を少なくできる。
【００２３】
また、従来のように板状建材の内部空間にアルミニウム箔を使用していないので、仕切り材として設けた板状建材の内面に結露が発生せず、板状建材の枠体がねじれたり、反ったり等の変形することを防止できる。
さらに、この発明の板状建材を、湿気の多く発生する厨房・浴室・押し入れに、更には、臭気の発生する下駄箱やトイレに建材として使用した場合には、板状建材の内部空間部に充填した木炭、活性炭などの炭素系の小片または粉末などの炭素系物質によって、吸湿・脱臭を行うことができ、快適な部屋を提供できる。
また、請求項１の発明によれば、枠体と表，裏面板で形成される空間部内が縦桟と横桟で区画されることにより空間部内に充填された通気性を有する袋状の不織布内に装填された炭素系物質を確実に分離して保持すると共に、微細な炭素系粉末が前記表，裏面板に形成した複数の小孔より外方に飛散したり、こぼれ落ちる不具合を、前記ポリプロピレン樹脂系の不織布及び袋状不織布とによって完全防止することができる。また、板状建材をドアーなどに使用する場合、錠金具を取付ける部分の区画部から炭素系物質の充填を取除くことも容易にできる。
また、炭素系物質を装填する通気性を有する袋状不織布及び表，裏面板の内面側に配設する通気性を有する不織布は、それぞれポリプロピレン樹脂系であるため焼却においても炭酸ガスと水とに分解されるので、産業廃棄物になっても有毒ガスを発生することがない。
さらに、前記区画部内に前記炭素系物質の微粉末を作業性よく充填することができる。
【図面の簡単な説明】
【図１】  この発明の第１実施形態による板状建材を示した一部切欠き斜視図。
【図２】  この発明の第２実施形態による板状建材を示した一部切欠き斜視図。
【図３】  この発明の第３実施形態による板状建材を示した一部切欠き平面図。
【図４】  この発明の第４実施形態の板状建材を示した一部切欠き平面図。
【図５】  この発明の第５実施形態の板状建材を示した一部切欠き平面図。
【符号の説明】
１      板状建材
２ａ，２ｂ   縦材
２ｃ，２ｄ   横材
３      枠体
４      横桟
５      区画部
６      貫通孔
７ａ    表面板
７ｂ    裏面板
８      炭素系物質
８ａ    接着剤
９      カーボンパネル
１０    板状建材
１１    ハニカムコア
２０    板状建材
２１    縦桟
３０    板状建材
３１    カーボンパネル
４０    板状建材
【図１】
0003648682.tif 000002
【図２】
0003648682.tif 000003
【図３】
0003648682.tif 000004
【図４】
0003648682.tif 000005
【図５】
0003648682.tif 000006